(57)【要約】【課題】夜干しモードで衣類を乾燥しているときにタンク内が満水状態になったとしても衣類を乾燥させることができる除湿機を提供する。【解決手段】衣類の「夜干し」が設定されたときに、圧縮機１を動作させると共に、送風機８の風量が「強」・「中」・「弱」のうち「中」になるように制御し、湿度検出センサー２２により検出された室内湿度が５０％まで低下したときに送風機８の風量を「中」から「弱」に切り換える。その後、水位検出センサー２４によりドレンタンクの上限水位が検出されたときには圧縮機１の動作を停止させるマイコン２５を備えた。【選択図】図２
2010185597.tif 000002
【特許請求の範囲】
【請求項１】
室内の空気を除湿する除湿手段と、
室内の空気を吸い込み、前記除湿手段より除湿された空気を室内に吹き出す送風機と、
除湿によって貯えられたドレンタンクの上限水位を検出する水位検出センサーと、
室内の湿度を検出する湿度検出センサーと、
衣類の夜干しが設定されたときに、前記除湿手段を動作させると共に、前記送風機の風量が「強」・「中」・「弱」のうち「中」になるように制御し、前記湿度検出センサーにより検出された室内湿度が所定湿度まで低下したときに前記送風機の風量を「中」から「弱」に切り換え、その後、前記水位検出センサーによりドレンタンクの上限水位が検出されたときには前記除湿手段の動作を停止させる制御部と
を備えたことを特徴とする除湿機。
【請求項２】
室内の空気を除湿する除湿手段と、
室内の空気を吸い込み、前記除湿手段より除湿された空気を室内に吹き出す送風機と、
除湿によって貯えられたドレンタンクの上限水位を検出する水位検出センサーと、
室内の湿度を検出する湿度検出センサーと、
表示部と、
運転終了したときにその旨を音で報知する報知部と、
衣類の夜干しが設定されたときに、前記除湿手段を動作させると共に、前記送風機の風量が「強」・「中」・「弱」のうち「中」になるように制御し、前記湿度検出センサーにより検出された室内湿度が所定湿度まで低下したときに前記送風機の風量を「中」から「弱」に切り換え、その後、前記水位検出センサーによりドレンタンクの上限水位が検出されたときには前記除湿手段の動作を停止させる制御部とを備え、
前記制御部は、衣類の夜干しが設定されたときにその情報を前記表示部に表示し、前記除湿手段及び前記送風機を動作させたときに表示部に表示した情報をＯＦＦし、夜干しによる運転終了したときにその旨を知らせる音を前記報知部から出ないようにしたことを特徴とする除湿機。
【請求項３】
前記制御部は、衣類の夜干しが設定されたときに、前記除湿手段を動作させると共に、前記送風機の風量が「強」・「中」・「弱」のうち「中」になるように制御し、前記湿度検出センサーにより検出された室内湿度が所定湿度まで低下したときは前記送風機の風量「中」を継続し、その後、前記水位検出センサーによりドレンタンクの上限水位が検出されたときには前記除湿手段の動作を停止させることを特徴とする請求項１又は２記載の除湿機。
【請求項４】
前記制御部は、衣類の夜干しが設定されたときに、前記除湿手段を動作させると共に、前記送風機の風量が「強」・「中」・「弱」のうち「弱」になるように制御し、前記湿度検出センサーにより検出された室内湿度が所定湿度まで低下したときは前記送風機の風量「弱」を継続し、その後、前記水位検出センサーによりドレンタンクの上限水位が検出されたときには前記除湿手段の動作を停止させることを特徴とする請求項１又は２記載の除湿機。
【請求項５】
ヒーターと、
室内の温度を検出する温度検出センサーとを備え、
前記制御部は、前記温度検出センサーにより検出された室内温度が所定温度以下のときに前記ヒーターに通電し、室内温度が所定温度より高いときに前記ヒーターへの通電を停止することを特徴とする請求項１乃至４の何れかに記載の除湿機。
【請求項６】
室内の空気を除湿し、除湿した空気をヒーターで乾燥させる除湿手段と、
室内の空気を吸い込み、前記除湿手段より除湿された空気を室内に吹き出す送風機と、
除湿によって貯えられたドレンタンクの上限水位を検出する水位検出センサーと、
室内の湿度を検出する湿度検出センサーと、
衣類の夜干しが設定されたときに、前記除湿手段を動作させると共に、該除湿手段のヒーターの通電量が「強」・「中」・「弱」のうち「中」になるように制御し、かつ前記送風機の風量が「強」・「中」・「弱」のうち「中」になるように制御し、前記湿度検出センサーにより検出された室内湿度が所定湿度まで低下したときに前記送風機の風量を「中」から「弱」に切り換える共に、前記ヒーターの通電量を「中」から「弱」に切り換え、その後、前記水位検出センサーによりドレンタンクの上限水位が検出されたときには前記ヒーターを除いて前記除湿手段の動作を停止させる制御部と
を備えたことを特徴とする除湿機。
【請求項７】
室内の空気を除湿し、除湿した空気をヒーターで乾燥させる除湿手段と、
室内の空気を吸い込み、前記除湿手段より除湿された空気を室内に吹き出す送風機と、
除湿によって貯えられたドレンタンクの上限水位を検出する水位検出センサーと、
室内の湿度を検出する湿度検出センサーと、
衣類の夜干しが設定されたときに、前記除湿手段を動作させると共に、該除湿手段のヒーターの通電量が「強」・「中」・「弱」のうち「中」になるように制御し、かつ前記送風機の風量が「強」・「中」・「弱」のうち「中」になるように制御し、前記湿度検出センサーにより検出された室内湿度が所定湿度まで低下したときに前記送風機の風量を「中」から「弱」に切り換える共に、前記ヒーターの通電量を「中」から「弱」に切り換え、その後、前記水位検出センサーによりドレンタンクの上限水位が検出されたときには前記ヒーターを除いて前記除湿手段の動作を停止させる制御部とを備え、
前記制御部は、衣類の夜干しが設定されたときにその情報を前記表示部に表示し、前記除湿手段及び前記送風機を動作させたときに表示部に表示した情報をＯＦＦし、夜干しによる運転終了したときにその旨を知らせる音を前記報知部から出ないようにしたことを特徴とする除湿機。
【請求項８】
前記制御部は、衣類の夜干しが設定されたときに、前記除湿手段を動作させると共に、該除湿手段のヒーターの通電量が「強」・「中」・「弱」のうち「中」になるように制御し、かつ前記送風機の風量が「強」・「中」・「弱」のうち「中」になるように制御し、前記湿度検出センサーにより検出された室内湿度が所定湿度まで低下したときは前記送風機の風量「中」を継続すると共に、前記ヒーターの通電量の「中」を継続し、その後、前記水位検出センサーによりドレンタンクの上限水位が検出されたときには前記ヒーターを除いて前記除湿手段の動作を停止させることを特徴とする請求項６又は７記載の除湿機。
【請求項９】
前記制御部は、衣類の夜干しが設定されたときに、前記除湿手段を動作させると共に、該除湿手段のヒーターの通電量が「強」・「中」・「弱」のうち「弱」になるように制御し、かつ前記送風機の風量が「強」・「中」・「弱」のうち「弱」になるように制御し、前記湿度検出センサーにより検出された室内湿度が所定湿度まで低下したときは前記送風機の風量「弱」を継続すると共に、前記ヒーターの通電量の「弱」を継続し、その後、前記水位検出センサーによりドレンタンクの上限水位が検出されたときには前記ヒーターを除いて前記除湿手段の動作を停止させることを特徴とする請求項６又は７記載の除湿機。
【請求項１０】
前記制御部は、前記湿度検出センサーにより検出された室内湿度が所定湿度まで低下する前に、前記水位検出センサーによりドレンタンクの上限水位が検出されたときには前記除湿手段の動作のみを停止させることを特徴とする請求項１乃至９の何れかに記載の除湿機。
【発明の詳細な説明】
【技術分野】
【０００１】
本発明は、衣類（洗濯物）の乾燥機能を備えた除湿機に関するものである。
【背景技術】
【０００２】
従来の除湿機には、空気循環ファンを、第２風量で第１工程を実行した後、第２風量より小さい第１風量で第２工程を実行し、この第２工程の後に再び第２風量で第３工程を実行する衣類乾燥コースにおける夜干しモードを備えたものがある（例えば、特許文献１参照）。
【先行技術文献】
【特許文献】
【０００３】
【特許文献１】特許第４１２８０９５号公報（第６頁、図１）
【発明の概要】
【発明が解決しようとする課題】
【０００４】
前述した従来の除湿機では、夜干しモードで衣類を乾燥しているときに、タンク内が満水状態になった場合、除湿動作が停止するので、衣類が乾燥しないということがある。
本発明は、前記のような課題を解決するためになされたもので、夜干しモードで衣類を乾燥しているときにタンク内が満水状態になったとしても衣類を乾燥させることができ、しかも衣類の乾燥が終了した際に報知音がでないように配慮した除湿機を提供することを目的とする。
【課題を解決するための手段】
【０００５】
本発明に係る除湿機は、室内の空気を除湿する除湿手段と、室内の空気を吸い込み、除湿手段より除湿された空気を室内に吹き出す送風機と、除湿によって貯えられたドレンタンクの上限水位を検出する水位検出センサーと、室内の湿度を検出する湿度検出センサーと、衣類の夜干しが設定されたときに、除湿手段を動作させると共に、送風機の風量が「強」・「中」・「弱」のうち「中」になるように制御し、湿度検出センサーにより検出された室内湿度が所定湿度まで低下したときに送風機の風量を「中」から「弱」に切り換え、その後、水位検出センサーによりドレンタンクの上限水位が検出されたときには除湿手段の動作を停止させる制御部とを備えたものである。
【発明の効果】
【０００６】
本発明においては、衣類の夜干しが設定されたときに、除湿手段を動作させると共に、送風機の風量が「強」・「中」・「弱」のうち「中」になるように制御し、湿度検出センサーにより検出された室内湿度が所定湿度まで低下したときに送風機の風量を「中」から「弱」に切り換え、その後、水位検出センサーによりドレンタンクの上限水位が検出されたときには除湿手段の動作を停止させるようにしたので、使用者が睡眠から覚めたときに除湿機が途中で止まって衣類が乾燥していないということがなくなる。
【図面の簡単な説明】
【０００７】
【図１】本発明の実施の形態１に係る除湿機を示す構成図である。
【図２】本発明の実施の形態１を示す除湿機の制御ブロック図である。
【図３】実施の形態１に係る除湿機の夜干しモードの動作を示すフローチャートである。
【図４】夜干しモードにおける自動運転の説明を示す図である。
【発明を実施するための形態】
【０００８】
実施の形態１．
図１は本発明の実施の形態１に係る除湿機を示す構成図である。
図１において、本除湿機は、コンプレッサー式除湿機の一例で、底部に設置された圧縮機１、圧縮機１の上方に配置された蒸発器２、蒸発器２に隣接して設けられた凝縮器３により除湿手段が構成されている。蒸発器２の下側にはドレンパン４が設けられ、ドレンパン４の底部にはドレン口５が連結され、ドレンパン４の下方にはドレンタンク６が設置されている。ドレンタンク６には、ドレンタンク６の上限水位（満水）を検出する水位検出センサーが装着されている。
【０００９】
蒸発器２の上流側には空気の吸込口７が設けられ、凝縮器３の下流側にはファンケーシング９に収納された送風機８が配置されている。送風機８の吸い込み側にはベルマウス１０が取り付けられている。ファンケーシング９の終端部には吹き出しダクト部１１が設けられ、このダクト部１１の上方には吹出口１２が設けられている。吹出口１２には風向を変えるルーバー１３が取り付けられている。
【００１０】
図２は本発明の実施の形態１を示す除湿機の制御ブロック図である。
運転操作部２１、表示器２８、及び報知部であるブザー２９は、吹出口１２の近傍に設けられている。運転操作部２１には、「冷風」や「除湿」、夜間に衣類を乾燥させる「夜干し」などの各モードを選択する運転切換スイッチ、送風機８の風量（強・中・弱）を切り換える風量切換スイッチや、タイマースイッチなどが設けられている。表示器２８は、液晶あるいは７セグメントの表示装置からなり、前述のスイッチ操作に基づいて運転情報を表示する。湿度検出センサ２２は室内の湿度を検出し、温度検出センサー２３は室内の温度を検出する。
【００１１】
マイクロコンピューター２５（以下、単に「マイコン」という）は、運転切換スイッチにより「冷風」モードが選択された場合、表示器２８にそのモードを表示し、圧縮機駆動回路２６と送風機駆動回路２７を制御して圧縮機１及び送風機８を運転し、風量切換スイッチにより設定された風量の冷風が吹出口１２から送風されるようにする。また、「除湿」モードが選択されたときは、表示器２８にそのモードを表示し、圧縮機駆動回路２６と送風機駆動回路２７を制御して、除湿した空気が吹出口１２から送風されるようにする。
【００１２】
前述した各運転モードによる除湿機の運転が終了した場合は、ブザー２９を鳴動させて報知すると共に、運転終了の旨を表示器２８に表示する。さらに、水位検出センサー２４によってドレンタンク６の上限水位が検出されたときは、その旨を表示器２８とブザー２９を介して使用者に知らせる。また、このマイコン２５には、「夜干し」モードが選択されたときに、図３に示すフローチャートに基づいて制御を行う制御部を備えている。
【００１３】
ここで、「夜干し」モードの動作を図３及び図４を参照しながら説明する。図３は実施の形態１に係る除湿機の夜干しモードの動作を示すフローチャート、図４は夜干しモードにおける自動運転の説明を示す図である。
マイコン２５は、運転切換スイッチにより「夜干し」モードが選択された際、表示器２８に「夜干し」を表示し（Ｓ１）、使用者に「夜干し」が選択されたことを知らせる。そして、その表示をＯＦＦにする（Ｓ２）。これは、夜干し設定後、使用者が就寝に入って運転状態を見ることがないからである。マイコン２５は、表示をＯＦＦした後、圧縮機駆動回路２６を制御して圧縮機１を起動し、次いで、送風機８の風量が「中」になるように送風機駆動回路２７を制御する（Ｓ３）。
【００１４】
この時、室内の空気は送風機８によって吸込口７より吸い込まれ、蒸発器２、凝縮器３を通って、ベルマウス１０、ファンケーシング９内を通過し、さらに吹き出しダクト部１１を通過した後、上方向の吹出口１２からルーバー１３により風向きが変更されて室内へ吹き出される。この間、吸込口７から吸い込まれた空気は、圧縮機１と蒸発器２により冷却され、その時の飽和水蒸気量より多く含まれていた水分が結露しドレンパン４に受けられ、ドレン口５を通ってドレンタンク６内に導かれる。このように蒸発器２を通過し冷却されて絶対湿度が低下した空気は、さらに凝縮器３を通過することにより加熱され、送風機８によって吹出口１２から吹き出される。この運転により、洗濯物によって７０％以上あった室内の湿度が徐々に低くなっていく（図４参照）。
【００１５】
一方、マイコン２５は、湿度検出センサー２２により検出された室内の湿度が５０％まで低下したかどうかを判定し（Ｓ４）、室内の湿度が５０％まで低下していないときは、水位検出センサー２４がドレンタンク６の上限水位を検知したかどうかを判定する（Ｓ５）。室内の湿度が５０％まで低下することなくドレンタンク６内が満水になったときは、圧縮機１の運転をＯＦＦし（Ｓ６）、送風機８の風量「中」を保持する（Ｓ７）。
【００１６】
その後、マイコン２５は、運転開始からの運転時間が予め設定された例えば１２時間を経過したかどうかを判定し（Ｓ８）、運転時間が１２時間を経過していないときは、運転開始から１２時間経過するまで送風機８の風量「中」を保持する。この間は、室内の空気が送風機８のみの運転で循環される。そして、運転時間が１２時間を経過したときに送風機８の運転をＯＦＦする（Ｓ９）。ここで、他のモードのときはブザー２９を鳴動させて使用者にその旨を報知するが、「夜干し」モードにおいては、ブザー２９による報知音を禁止し（Ｓ１０）、「夜干し」モードにおける動作を終了する。
【００１７】
また、マイコン２５は、ドレンタンク６内が満水になることなく室内の湿度が５０％まで低下したときは、図４に示すように送風機８の風量を「中」から「弱」に切り換える（Ｓ１１）。そして、室内温度を温度検出センサー２３を介して検出し（Ｓ１２）、残り運転時間を算出する（Ｓ１３）。この残り運転時間は、実験により得られた計算式（ｙ＝ａ＊Ｔ＋ｂ、ｔ２＝ｔ１＊ｙ）により算出される。なお、ａ，ｂは係数、Ｔは温度検出センサー２３の検出温度、ｔ１は運転開始から湿度が５０％になったときの運転時間（図４参照）、ｔ２は残り運転時間である。
【００１８】
マイコン２５は、残り運転時間を算出すると、ドレンタンク６内が満水になったかどうかを判定し（Ｓ１４）、満水でないときは残り運転時間経過したかどうかを判定する（Ｓ１５）。ここでは、蒸発器２によって乾燥された空気は、凝縮器３により加熱され、風量「弱」の送風機８によって吹出口１２から吹き出される。ドレンタンク６内が満水になることなく残り運転時間が経過したときは、圧縮機駆動回路２６を制御して圧縮機１の運転をＯＦＦすると共に、送風機駆動回路２７を制御して送風機８の運転をＯＦＦする。そして、前述したようにブザー２９による報知音を禁止し（Ｓ１０）、「夜干し」モードにおける動作を終了する。
【００１９】
また、マイコン２５は、残り運転時間経過する前にドレンタンク６内が満水になったときは、圧縮機１の運転をＯＦＦし（Ｓ１７）、残り運転時間経過したかどうかを判定する（Ｓ１８）。残り運転時間経過していないときは、その運転時間経過するまでここで待機する。この間は、室内の空気が送風機８のみの運転で循環される。そして、残り運転時間経過後に送風機８の運転をＯＦＦし（Ｓ１９）、前記と同様にブザー２９による報知音を禁止し（Ｓ１０）、「夜干し」モードにおける動作を終了する。
【００２０】
以上のように本実施の形態１によれば、運転切換スイッチにより「夜干し」モードが選択された後、表示器２８の表示をＯＦＦ状態にしているので、省エネ効果がある。
また、「夜干し」モードの運転が終了したときにはとブザー２９を用いてその旨を知らせないようにしているので、ブザー２９の報知音で睡眠中の使用者を起こすということがなくなり、使用者への配慮した除湿機を提供できる。
さらに、「夜干し」モードの運転中にドレンタンク６内が満水になっても送風機８の風量のみで衣類を乾燥させるようにしているので、使用者が睡眠から覚めたときに除湿機が途中で止まって衣類が乾燥していないということがなくなる。
【００２１】
なお、本実施の形態１では、湿度検出センサー２２により検出された室内湿度が５０％まで低下したときに送風機８の風量を「中」から「弱」に切り換え、その後、水位検出センサー２４によりドレンタンク６の上限水位が検出されたときには圧縮機１の動作を停止させ、また、湿度検出センサー２２により検出された室内湿度が５０％まで低下する前に、水位検出センサー２４によりドレンタンク６の上限水位が検出されたときには圧縮機１の動作を停止させるようにしたが、これに限定されるものではない。
【００２２】
例えば、衣類の「夜干し」が設定されたときに、圧縮機１を動作させると共に、送風機８の風量が「強」・「中」・「弱」のうち「中」になるように制御し、湿度検出センサー２２により検出された室内湿度が５０％まで低下したときには送風機８の風量「中」を継続させる。その後、水位検出センサー２４によりドレンタンク６の上限水位が検出されたときには圧縮機１の動作を停止させ、また、湿度検出センサー２２により検出された室内湿度が５０％まで低下する前に、水位検出センサー２４によりドレンタンク６の上限水位が検出されたときには圧縮機１の動作を停止させるようにする。
このように構成した場合も、使用者が睡眠から覚めたときに除湿機が途中で止まって衣類が乾燥していないということがなくなる。
【００２３】
また、衣類の「夜干し」が設定されたときに、圧縮機１を動作させると共に、送風機８の風量が「強」・「中」・「弱」のうち「弱」になるように制御し、湿度検出センサー２２により検出された室内湿度が５０％まで低下したときには送風機８の風量「弱」を継続させる。その後、水位検出センサー２４によりドレンタンク６の上限水位が検出されたときには圧縮機１の動作を停止させ、また、湿度検出センサー２２により検出された室内湿度が５０％まで低下する前に、水位検出センサー２４によりドレンタンク６の上限水位が検出されたときには圧縮機１の動作を停止させるようにする。
この構成により、本除湿機の動作音がより静かとなり、使用者が睡眠から覚めたときに除湿機が途中で止まって衣類が乾燥していないということがなくなる。
【００２４】
さらに、ヒーターを備えた除湿機（コンプレッサー式）に適用しても良い。例えば、ドレンタンク６が満水状態になったときの圧縮機１の停止、室内湿度が５０％まで低下する前と５０％まで低下したときの送風機８の風量制御に加えて、温度検出センサー２３により検出された室内温度が所定温度（例えば１５℃）以下のときヒーターに通電して除湿された空気を加熱する。室内温度が１５℃より高いときに前記ヒーターへの通電を停止させるようにする。
このように構成した場合、室内温度が低く乾燥しにくい環境であっても衣類を乾燥させることができる。
【００２５】
実施の形態２．
前述の実施の形態１では、「夜干し」における制御をコンプレッサー式の除湿機で行ったことを述べたが、実施の形態２は、その制御をゼオライト式の除湿機で行うようにしたものである。なお、実施の形態２においては、実施の形態１と同様の部分には同じ符号を付して説明する。
実施の形態２の除湿機には、除湿ローター及びその駆動モーター、再生空気循環用の送風機、ヒーター、熱交換器などで構成される除湿手段を備えている。前述の駆動モーターは除湿ローターを回転させるものであり、ヒーターは、除湿ローター内の除湿剤を加熱させるものである。マイコン２５には、「夜干し」モードにおける本除湿機の制御を行う制御部を備えている。
【００２６】
例えば、マイコン２５は、「夜干し」モードが選択された場合、除湿手段を動作させると共に、除湿手段のヒーターの通電量が「強」・「中」・「弱」のうち「中」になるように制御し、かつ室内空気循環用の送風機８の風量が「強」・「中」・「弱」のうち「中」になるように制御する。
【００２７】
「夜干し」モードで本除湿機が運転しているときに、湿度検出センサー２２により検出された室内湿度が所定湿度（例えば５０％）まで低下したときに送風機８の風量を「中」から「弱」に切り換える共に、前記ヒーターの通電量を「中」から「弱」に切り換える。その後、水位検出センサー２４によりドレンタンクの上限水位が検出されたときにはヒーターを除いて除湿手段の動作を停止させ、本除湿機による室内除湿を停止させる。この場合、送風機８の風量の「弱」を継続し、ヒーターの通電量の「弱」を継続する。また、マイコン２５は、湿度検出センサー２２により検出された室内湿度が５０％まで低下する前に、水位検出センサー２４によりドレンタンクの上限水位が検出されたときにはヒーターを除いて除湿手段の動作を停止させる。この場合は、送風機８の風量の「中」を継続し、ヒーターの通電量の「中」を継続する。
【００２８】
また、マイコン２５は、「夜干し」モードが選択されたときにその情報を表示器２８に表示し、本除湿機を運転させたときに表示器２８に表示した情報をＯＦＦし、「夜干し」による運転終了したときにはブザーによるその旨の報知音を禁止する。
【００２９】
以上のように実施の形態２によれば、本除湿機を運転した際、表示器２８に表示した「夜干し」の情報をＯＦＦ状態にしているので、省エネ効果がある。
また、「夜干し」モードの運転が終了したときにはブザー２９を用いてその旨を知らせないようにしているので、ブザー２９の報知音で睡眠中の使用者を起こすということがなくなり、使用者への配慮した除湿機を提供できる。
さらに、「夜干し」モードの運転中にドレンタンク内が満水になっても送風機８の動作とヒーターへの通電を継続して衣類を乾燥させるようにしているので、使用者が睡眠から覚めたときに除湿機が途中で止まって衣類が乾燥していないということがなくなる。
【００３０】
なお、実施の形態２では、湿度検出センサー２２により検出された室内湿度が５０％まで低下したときに送風機８の風量を「中」から「弱」に切り換える共に、ヒーターの通電量を「中」から「弱」に切り換え、その後、水位検出センサー２４によりドレンタンクの上限水位が検出されたときにはヒーターを除いて除湿手段の動作を停止させ、また、湿度検出センサー２２により検出された室内湿度が５０％まで低下する前に、水位検出センサー２４によりドレンタンク６の上限水位が検出されたときにはヒーターを除いて除湿手段の動作を停止させるようにしたことを述べたが、これに限定されるものではない。
【００３１】
例えば、衣類の「夜干し」が設定されたときに、除湿手段を動作させると共に、除湿手段のヒーターの通電量が「強」・「中」・「弱」のうち「中」になるように制御し、かつ送風機８の風量が「強」・「中」・「弱」のうち「中」になるように制御する。そして、湿度検出センサー２２により検出された室内湿度が５０％まで低下したときには送風機８の風量「中」を継続すると共に、ヒーターの通電量の「中」を継続する。その後、水位検出センサー２４によりドレンタンクの上限水位が検出されたときにはヒーターを除いて除湿手段の動作を停止させる。また、湿度検出センサー２２により検出された室内湿度が５０％まで低下する前に、水位検出センサー２４によりドレンタンク６の上限水位が検出されたときにはヒーターを除いて除湿手段の動作を停止させるようにする。
このように構成した場合も、使用者が睡眠から覚めたときに除湿機が途中で止まって衣類が乾燥していないということがなくなる。
【００３２】
また、衣類の「夜干し」が設定されたときに、除湿手段を動作させると共に、除湿手段のヒーターの通電量が「強」・「中」・「弱」のうち「弱」になるように制御し、かつ送風機８の風量が「強」・「中」・「弱」のうち「弱」になるように制御する。そして、湿度検出センサー２２により検出された室内湿度が５０％まで低下したときには送風機８の風量「弱」を継続すると共に、前記ヒーターの通電量の「弱」を継続する。その後、水位検出センサー２４によりドレンタンクの上限水位が検出されたときにはヒーターを除いて除湿手段の動作を停止させる。また、湿度検出センサー２２により検出された室内湿度が５０％まで低下する前に、水位検出センサー２４によりドレンタンク６の上限水位が検出されたときにはヒーターを除いて除湿手段の動作を停止させるようにする。
この構成により、本除湿機の動作音がより静かとなり、使用者が睡眠から覚めたときに除湿機が途中で止まって衣類が乾燥していないということがなくなる。
【符号の説明】
【００３３】
１  圧縮機、２  蒸発器、３  凝縮器、４  ドレンパン、５  ドレン口、６  ドレンタンク、７  吸込口、８  送風機、９  ファンケーシング、１０  ベルマウス、１１  吹き出しダクト部、１２  吹出口、１３  ルーバー。
【図１】
2010185597.tif 000003
【図２】
2010185597.tif 000004
【図３】
2010185597.tif 000005
【図４】
2010185597.tif 000006